【事件の表示】
　特願２００９−　１３７１７「液晶の高速駆動方法」拒絶査定不服審判事件〔平成２１年　６月２５日出願公開、特開２００９−１３９９７０〕について、次のとおり審決する。
【結　論】
　本件審判の請求は、成り立たない。
【理　由】
第１　手続の経緯
　本願は、平成１０年４月１０日に出願した特願平１０−１１６０５７号（以下、「原出願」という。）の一部を平成２１年１月２４日に新たな特許出願としたものである。この特許出願の分割は適法と認められるので、本願は、原出願の時にしたものとみなす。
　本願は、平成２４年４月６日付け（発送：同年同月１０日）の拒絶理由の通知に対し、平成２４年６月８日付けで明細書及び特許請求の範囲についての補正がなされ、平成２５年３月２２日（送達：同年同月２６日）付けで拒絶査定がなされ、これに対し、同年６月２０日に拒絶査定不服審判が請求されると同時に明細書及び特許請求の範囲についての補正（以下、「本件補正」という。）がなされたものである。
　
第２　本件補正の適否
　本件補正は、補正前の特許請求の範囲の請求項１を削除し、補正前の請求項２ないし７を補正後の請求項１ないし６に繰り上げる補正であって、本件補正により請求項の数は７から６となった。
　してみると、本件補正のうち特許請求の範囲についてした補正は、特許法第１７条の２第４項第１号の請求項の削除を目的とするものであり、また、特許法第１７条の２第３項に違反するところはない。
　したがって、本件補正は適法なものである。
　
第３　本願発明
　以上のとおり本件補正は認められるので、本願の請求項１ないし６に係る発明は、本件補正によって補正された特許請求の範囲の請求項１ないし６に記載された事項により特定されるとおりのものと認められるところ、その請求項１に係る発明は次のとおりである。
　
「１枚の液晶パネルと、前記液晶パネルに一定の周期で点滅する照明手段とを設け、
　前記液晶パネル内の液晶を挟む２つの電極間に階調データに基づいた第１の電圧を印加する第１のステップと、
　前記２つの電極間に前記階調データに無関係に第２の電圧を印加する第２のステップと、
　を前記一定の周期内において一定の時間比率で順次切り替え、
　前記第１及び第２のステップは、前記一定の周期内で、前記２つの電極間の平均電圧をほぼ０とする様、前記２つの電極間の電圧の極性を反転させ、
　前記液晶がＴＮ液晶である
ことを特徴とする液晶の高速駆動方法。」
　（以下、「本願発明」という。）
　
第４　原査定の拒絶の理由の概要
　原査定の拒絶の理由の一つは、概略、以下のとおりである。
　
「本願の請求項１ないし７のそれぞれに係る発明は、いずれも、その出願前に日本国内又は外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　　記
　　刊行物１：特開平６−６７１５８号公報
　　刊行物２：特開平３−８３０１５号公報
　　刊行物３：特開平９−１３８４２１号公報
　　刊行物４：特表平８−５００９１５号公報」
　
第５　当審の判断
１．刊行物に記載の発明・技術事項
（１）刊行物１の記載事項
　原査定の拒絶の理由に引用された刊行物１には、次の事項（ａ）ないし（ｅ）が図面と共に記載されている。
（ａ）
「【０００１】
【産業上の利用分野】本発明は、液晶光シャッタの駆動方法に関するものである。
【０００２】
【従来の技術】従来、中間調表示または中間調印字が可能な液晶光シャッタの駆動方法においては、液晶光シャッタを所望の光学応答状態とするために、所望の光学応答状態に応じた電圧を印加する方法が用いられていた。具体的には、所望の中間調を得るためにその中間調に応じた電圧を所定の書込み時間の間印加し、つぎの書込み時間では前回の印加電圧に引き続き、所望の中間調を得るための電圧を印加していた。例えば、明状態から暗状態に順次書き変えていく場合には、図６のように印加電圧をＶ1からＶ5へと順次切り換えていく。
【０００３】
【発明が解決しようとする課題】しかしながら、例えば誘電異方性が正のネマティック液晶をポリイミドの反平行ラビンク処理により一軸方向にホモジニアス配向し、電界効果複屈折モードにより中間調を含む所望の光学応答状態を得る液晶光シャッタ（セル厚１．８μｍ）に、所望の中間調を得るための電圧として０ボルト〜８ボルトの電圧を１ボルトごとに段階的に印加した場合の１０ｍｓ後の透過率は、図７に示すように印加する電圧を０ボルトから８ボルトまで１ボルトずつ大きくしていった場合と（図中□印の線）、印加する電圧を８ボルトから０ボルトまで１ボルトずつ小さくしていった場合（図中＋印の線）とで異なってしまうという問題点を有していた。
【０００４】上記の問題点は、前回の書込み時に印加した電圧と現在印加している電圧の差の大きさによって液晶の光学応答時間が異なることにより生じるものである。
【０００５】これは、電圧を印加することにより液晶分子の長軸方向の向きを配向状態から変えているので、液晶分子の長軸方向の向きを配向力にさからった向きにする場合、すなわち前回より大きい電圧を印加するときは、配向力が応答のさまたげになり、液晶分子の長軸方向の向きを配向力の向きにする場合、すなわち前回より小さい電圧を印加するときに比べて応答時間が遅くなることから生じる。この応答時間の遅れは、液晶が配向力により配向しているときほど、つまり電圧が印加されていない状態ほど大きく、そのため電圧非印加時から微少電圧を印加したときが最も応答性が悪くなる。このことは図７の測定値から明らかである。」
　
（ｂ）
「【００１３】本発明の目的は、中間調表示または中間調印字が可能な液晶光シャッタにおいて、階調表現の再現性を向上させることである。
【００１４】
【課題を解決するための手段】本発明では、２つの対向する透明電極間にネマティック液晶を介在させて液晶光シャッタ素子を構成し、この液晶光シャッタ素子に一旦リセット電圧を印加して暗状態に初期化した後、中間調を含む所望の光学応答状態とするための電圧を印加することにより、上記の目的を達成している。」
　
（ｃ）
「【００１５】
【実施例】以下、本発明を光プリンタの液晶光シャッタに用いた例を図面に示す一実施例に基づいて具体的に説明する。
【００１６】図１において、１は液晶光シャッタで、複数の液晶光シャッタ素子２〜２により構成される。図２は液晶光シャッタ１の詳細図、図３は図２のＡ−Ａ線断面図である。３は信号切換え回路で、端子Ａに入力する、各液晶光シャッタ素子２〜２の中間調を含む明から暗の光学応答状態をそれぞれ指定するデータ信号と、端子Ｂに入力する暗状態を指定するブラック信号すなわちリセット信号とを切換えて出力する。４は切換え指定回路で、信号切換え回路３の出力を切り変える切換え信号を発生する。本例では、改行時にブラック信号を２ｍｓ出力した後データ信号を１０ｍｓ出力してデータの書込みおよび１行分の印字を行ない、再び改行時にブラック信号を２ｍｓ出力するというようにデータ信号とブラック信号との出力を切り換える。５はＤ／Ａ変換回路で、データ信号およびブラック信号を、その階調を得るための電圧に変換するものである。６は液晶光シャッタ駆動回路で、Ｄ／Ａ変換回路５から入力するリセット電圧と、中間調を含む所望の光学応答状態とする所望の電圧（なお、中間調を含む所望の光学応答状態とする所望の電圧＜リセット電圧とする。）を液晶光シャッタ１にに印加（当審注：「液晶光シャッタ１に印加」の誤記と認める。）して液晶光シャッタ素子２〜２を駆動する。なお、本例では、リセット電圧Ｖrを±１０ボルト、中間調を含む所望の光学応答状態とする所望の電圧Ｖを±１ボルト〜±８ボルトとする。
【００１７】図２および図３において、７はセグメント基板で、ガラス等からなる。８はセグメント透明電極で、ＩＴＯ等からなり、図示のごとくストライプ状に形成してあり、液晶光シャッタ駆動回路６から出力されるリセット電圧と中間調を含む所望の光学応答状態とする所望の電圧とが印加される。９はコモン基板で、ガラス等からなる。１０はコモン透明電極で、ＩＴＯ等からなり、セグメント透明電極８と直交する向きに形成してあり、本例ではグランドに接続してある。１１，１２は配向膜で、ポリイミド等からなり、反平行ラビンク処理してある。１３は誘電異方性が正のネマティック液晶で、配向膜１１，１２によりホモジニアス配向されている。１４は封止材である。この液晶光シャッタ１の外側には図示しない偏光板がクロスニコルの位置に設けてあり、液晶１３の配向方向と偏光板の偏光軸とは４５度の角度をなしている。なお、本例では液晶光シャッタ１のセル厚を１．８μｍとする。
【００１８】図４は本発明の駆動方法により、液晶光シャッタを駆動したときのセグメント透明電極４に印加した駆動波形とそのときの液晶光シャッタ１の透過光量を示した図である。
【００１９】本例では、周波数が１ｋＨｚで±１０ボルトのリセット電圧Ｖrを２ｍｓの間印加した後に、周波数が１ｋＨｚの所望の中間調の光学応答状態とする電圧±１ボルトの交流矩形波を書き込み時間１０ｍｓの間印加し、再び上記のリセット電圧Ｖrを２ｍｓの間印加し、つぎに所望の中間調の光学応答状態とする電圧±２ボルトの電圧を印加と、順次リセット電圧Ｖrと±３ボルト、±４ボルト、±５ボルト、±６ボルト、±７ボルト、±８ボルトの所望の中間調の光学応答状態とする電圧とを印加した場合の透過光量の変化を示している。
【００２０】液晶光シャッタ１はリセット電圧Ｖrが印加されると、一旦暗状態に初期化される。リセット電圧Ｖrは中間調の光学応答状態とする電圧Ｖより大きいので、前に印加されていた電圧の大きさに拘らず液晶１３の応答時間は短く安定しており（図８参照。）、確実に飽和暗状態に初期化される。
【００２１】また、リセット電圧Ｖrが印加された後に中間調の光学応答状態とする電圧Ｖが印加するため、前回の印加電圧による影響を受けることがない。しかも、必ずリセット電圧より小さい電圧が印加されることになるので、液晶１３の応答時間は短く安定しており（図８参照。）、確実に、中間調を含む所望の透過光量を得ることができる。
【００２２】以下、上記と同様に液晶光シャッタ１にリセット電圧Ｖrを印加した後に中間調の光学応答状態とする電圧Ｖを印加するので、液晶１３の応答時間が短く安定し、液晶が配向力により配向しているときでも印加電圧に応じた透過光量を得ることができる。」
　
（ｄ）
「【００２４】図５は階調表示の再現性を示した図である。
【００２５】ある一定の中間透過光量Ｔを得るための電圧Ｖeと任意の電圧Ｖ1、Ｖ2、Ｖ3…およびリセット電圧ＶrをＶ1、Ｖr、Ｖe、Ｖr、Ｖ2、Ｖr、Ｖe、Ｖr、Ｖ3…の順で印加したとき、透過光量Ｔはその前の中間電圧Ｖ1、Ｖ2、Ｖ3…によらず、一定である。
【００２６】このように、本発明によれば液晶光シャッタにおける階調表示の再現性を格段に向上させることができる。
【００２７】なお、上記の例における電圧値、電圧印加時間、周波数およびＴＮモード（TwistNematicモード）などの液晶の動作モード等は上記に限らず、液晶光シャッタの特性等に応じて適宜変更可能である。
【００２８】また、上記の例では、光プリンタの液晶光シャッタに用いた場合について説明したが、これに限るものではなく、液晶表示装置の液晶光シャッタにも適用できる。」
　
（ｅ）
「【００２９】
【発明の効果】本発明は、２つの対向する透明電極間にネマティック液晶を介在させて液晶光シャッタ素子を構成し、この液晶光シャッタ素子に一旦リセット電圧を印加して暗状態に初期化した後、中間調を含む所望の光学応答状態とするための電圧を印加することにより、液晶の応答時間を短く、かつ安定でき、常に一定の所望の透過光量を得ることができ、階調表示の再現性が向上する。」
　
　また、図１には、液晶光シャッタ１内の複数の液晶光シャッタ素子２がライン上に配列されていることが図示されている。
　図４には、リセット電圧Ｖｒを印加する時間に対応して２ｍｓの幅を示す矢印が付され、中間調に対応した電圧Ｖ５を印加する時間に対応して１０ｍｓの幅を示す矢印が付されていることが図示されている。
　
（２）刊行物１に記載された発明
　ア
　上記記載（ａ）には、「【０００１】【産業上の利用分野】本発明は、液晶光シャッタの駆動方法に関するものである。」と記載され、また、上記記載（ｂ）には、「【００１３】本発明の目的は、中間調表示または中間調印字が可能な液晶光シャッタにおいて、階調表現の再現性を向上させることである。」と記載され、また、上記記載（ｅ）には、「【００２９】・・・することにより、液晶の応答時間を短く、かつ安定でき、常に一定の所望の透過光量を得ることができ、階調表示の再現性が向上する。」と記載されている。　
　よって、上記記載（ａ）、（ｂ）、（ｅ）から、「中間調表示または中間調印字が可能な液晶光シャッタの応答時間を短くした駆動方法」の技術事項が読み取れる。
　
　イ
　上記記載（ｃ）には、「【００１６】図１において、１は液晶光シャッタで、複数の液晶光シャッタ素子２〜２により構成される。・・・【００１８】図４は本発明の駆動方法により、液晶光シャッタを駆動したときのセグメント透明電極４に印加した駆動波形とそのときの液晶光シャッタ１の透過光量を示した図である。」と記載されている。
　また、図１には、液晶光シャッタ１内の複数の液晶光シャッタ素子２がライン上に配列されていることが図示されている。
　よって、上記記載（ｃ）及び図１から、「ライン上に配列された複数の液晶光シャッタ素子２〜２により構成される液晶光シャッタ１」であるとの技術事項が読み取れる。
　また、液晶光シャッタ１の透過光量が駆動波形に応じて変更されているのであるから、液晶光シャッタ１を通過することによりその透過光量が変更される照明光を前記液晶光シャッタ１に投射する「照明手段」を有するものと認められる。
　
　ウ
　上記記載（ｃ）には、「【００１６】・・・本例では、改行時にブラック信号を２ｍｓ出力した後データ信号を１０ｍｓ出力してデータの書込みおよび１行分の印字を行ない、再び改行時にブラック信号を２ｍｓ出力するというようにデータ信号とブラック信号との出力を切り換える。・・・なお、本例では、リセット電圧Ｖrを±１０ボルト、中間調を含む所望の光学応答状態とする所望の電圧Ｖを±１ボルト〜±８ボルトとする。・・・【００１９】本例では、周波数が１ｋＨｚで±１０ボルトのリセット電圧Ｖrを２ｍｓの間印加した後に、周波数が１ｋＨｚの所望の中間調の光学応答状態とする電圧±１ボルトの交流矩形波を書き込み時間１０ｍｓの間印加し、再び上記のリセット電圧Ｖrを２ｍｓの間印加し、つぎに所望の中間調の光学応答状態とする電圧±２ボルトの電圧を印加と、順次リセット電圧Ｖrと±３ボルト、±４ボルト、±５ボルト、±６ボルト、±７ボルト、±８ボルトの所望の中間調の光学応答状態とする電圧とを印加した場合の透過光量の変化を示している。」と記載され、また、上記記載（ｅ）には、「【００２９】【発明の効果】本発明は、２つの対向する透明電極間にネマティック液晶を介在させて液晶光シャッタ素子を構成し、この液晶光シャッタ素子に一旦リセット電圧を印加して暗状態に初期化した後、中間調を含む所望の光学応答状態とするための電圧を印加することにより、液晶の応答時間を短く、かつ安定でき、常に一定の所望の透過光量を得ることができ、階調表示の再現性が向上する。」と記載されている。
　また、図４には、リセット電圧Ｖｒを印加する時間に対応して２ｍｓの幅を示す矢印が付され、中間調に対応した電圧Ｖ５を印加する時間に対応して１０ｍｓの幅を示す矢印が付されていることが図示されている。この図示された事項と上記記載（ｃ）によれば、リセット電圧Ｖｒを印加する時間は全て２ｍｓであり、中間調に対応した電圧Ｖ１、Ｖ２、・・・、Ｖ５を印加する時間は全て１０ｍｓである。
　よって、上記記載（ｃ）（ｅ）及び図４から、「前記液晶光シャッタ素子２内のネマティック液晶１３を介在させる２つの透明電極間に所望の中間調の光学応答状態とする±１ボルト〜±８ボルトの電圧を書き込み時間１０ｍｓの間印加するデータ信号の出力を行った後、前記２つの透明電極間に±１０ボルトのリセット電圧Ｖｒを２ｍｓの間印加して前記液晶光シャッタ１を一旦暗状態に初期化するブラック信号の出力を行うことを、１行分の印字を行う度に繰り返し、前記データ信号の出力と前記ブラック信号の出力は、周波数１ｋＨｚの交流矩形波で行われる」との技術事項が読み取れる。
　
　エ
　上記記載（ａ）には、「【００１７】・・・１３は誘電異方性が正のネマティック液晶で、配向膜１１，１２によりホモジニアス配向されている。」と記載されている。
　よって、上記記載（ａ）から、「液晶が、ホモジニアス配向したネマティック液晶である」との技術事項が読み取れる。
　
　オ
　上記アないしエの技術事項、及び図１、４の内容を総合すると、刊行物１には、以下の発明が記載されていると認める。
　
「ライン上に配列された複数の液晶光シャッタ素子２〜２により構成される液晶光シャッタ１と、照明手段とを設け、
　前記液晶光シャッタ素子２内のネマティック液晶１３を介在させる２つの透明電極間に所望の中間調の光学応答状態とする±１ボルト〜±８ボルトの電圧を書き込み時間１０ｍｓの間印加するデータ信号の出力を行った後、
　前記２つの透明電極間に±１０ボルトのリセット電圧Ｖｒを２ｍｓの間印加して前記液晶光シャッタ１を一旦暗状態に初期化するブラック信号の出力を行うことを、
　１行分の印字を行う度に繰り返し、
　前記データ信号の出力と前記ブラック信号の出力とは、周波数１ｋＨｚの交流矩形波で行われ、
　前記液晶が、ホモジニアス配向したネマティック液晶である
　中間調表示または中間調印字が可能な液晶光シャッタの応答時間を短くした駆動方法。」（以下、「引用発明」という。）
　
２．対比
　本願発明と引用発明とを比較する。
　
（１）
　引用発明の「照明手段」は、本願発明の「照明手段」に相当し、以下同様に、「ネマティック液晶１３」は「液晶」に、「２つの透明電極」は「２つの電極」に、「中間調」を示すデータは「階調データ」に、「中間調表示または中間調印字が可能な液晶光シャッタの応答時間を短くした駆動方法」は「液晶の高速駆動方法」に相当する。
　また、引用発明の「ライン上に配列された複数の液晶光シャッタ素子２〜２により構成される液晶光シャッタ１」の「液晶光シャッタ素子」は、液晶を透過する光の量を制御する最小単位である画素を構成するものであるから、引用発明の「液晶シャッタ１」は、ライン状の複数の画素を有する液晶部材である。一方、本願発明の「液晶パネル」は、面状に複数の画素を有する液晶部材である。してみると、引用発明の「液晶シャッタ１」と本願発明の「１枚の液晶パネル」とは、共に、「複数の画素を有する１枚の液晶部材」である点で共通する。
　
　よって、引用発明の「ライン上に配列された複数の液晶光シャッタ素子２〜２により構成される液晶光シャッタ１と、照明手段とを設け」ることと、本願発明の「１枚の液晶パネルと、前記液晶パネルに一定の周期で点滅する照明手段とを設け」ることとは共に、「複数の画素を有する１枚の液晶部材と、照明手段とを設け」る点で共通する。
　
（２）
　上記（１）によれば、引用発明の「中間調」を示すデータは、本願発明の「階調データ」に相当するから、引用発明の「所望の中間調の光学応答状態とする±１ボルト〜±８ボルトの電圧」は、本願発明の「階調データに基づいた第１の電圧」に相当する。
　
　よって、引用発明の「前記液晶光シャッタ素子２内のネマティック液晶１３を介在させる２つの透明電極間に所望の中間調の光学応答状態とする±１ボルト〜±８ボルトの電圧を書き込み時間１０ｍｓの間印加するデータ信号を出力する」ことと、本願発明の「前記液晶パネル内の液晶を挟む２つの電極間に階調データに基づいた第１の電圧を印加する第１のステップ」とは共に、「前記液晶部材内の液晶を挟む２つの電極間に階調データに基づいた第１の電圧を印加する第１のステップ」の点で共通するといえる。
　
（３）
　引用発明の「±１０ボルトのリセット電圧Ｖｒ」は、液晶光シャッタ１を一旦暗状態に初期化するために２つの透明電極間に印加されるものである一方、所望の中間調の光学応答状態とする電圧は、±１ボルト〜±８ボルトであるから、引用発明の「±１０ボルトのリセット電圧Ｖｒ」は、中間調を示すデータとは無関係な電圧である。
　よって、引用発明の、前記２つの透明電極間に印加される電圧であって、中間調を示すデータとは無関係な電圧である、「±１０ボルトのリセット電圧Ｖｒ」は、本願発明の、前記２つの電極間に印加される、前記階調データに無関係な「第２の電圧」に相当する。
　
　したがって、引用発明の「前記２つの透明電極間に±１０ボルトのリセット電圧Ｖｒを２ｍｓの間印加して前記液晶光シャッタ１を一旦暗状態に初期化するブラック信号を出力すること」は、本願発明の「前記２つの電極間に前記階調データに無関係に第２の電圧を印加する第２のステップ」に相当するといえる。
　
（４）
　引用発明の、「所望の中間調の光学応答状態とする±１ボルト〜±８ボルトの電圧」を印加するデータ信号の出力と、「±１０ボルトのリセット電圧Ｖｒ」を印加するブラック信号の出力とは、図４において、中間調の電圧Ｖ１、Ｖ２、・・・Ｖ５の印加時間と、リセット電圧Ｖｒの印加時間とが、１０ｍｓ、２ｍｓ、１０ｍｓ、２ｍｓ、・・・、１０ｍｓ、２ｍｓ、・・・と１行分ごとに繰り返されているように、一定の時間比率で順次切り替えられているものである。そして、液晶光シャッタ１を構成し、ライン上に配列された複数の液晶光シャッタ素子２は、同じタイミングで印字と移動を繰り返すものであるから、ライン上に配列された前記複数の液晶光シャッタ素子２間で、この時間比率は一定である。
　
　したがって、引用発明の「前記液晶光シャッタ素子２内のネマティック液晶１３を介在させる２つの透明電極間に所望の中間調の光学応答状態とする±１ボルト〜±８ボルトの電圧を書き込み時間１０ｍｓの間印加するデータ信号の出力を行った後、前記２つの透明電極間に±１０ボルトのリセット電圧Ｖｒを２ｍｓの間印加して前記液晶光シャッタ１を一旦暗状態に初期化するブラック信号の出力を行うことを、１行分の印字を行う度に繰り返」すことと、本願発明の「前記液晶パネル内の液晶を挟む２つの電極間に階調データに基づいた第１の電圧を印加する第１のステップと、前記２つの電極間に前記階調データに無関係に第２の電圧を印加する第２のステップと、を前記一定の周期内において一定の時間比率で順次切り替え」ることとは共に、「前記液晶部材内の液晶を挟む２つの電極間に階調データに基づいた第１の電圧を印加する第１のステップと、前記２つの電極間に前記階調データに無関係に第２の電圧を印加する第２のステップと、をライン上に配列された複数の画素に対して一定の時間比率で順次切り替え」る点で共通するといえる。
　
（５）
　引用発明の、「所望の中間調の光学応答状態とする±１ボルト〜±８ボルトの電圧」を印加するデータ信号の出力と、「±１０ボルトのリセット電圧Ｖｒ」を印加するブラック信号の出力とは、いずれも、２つの透明電極間に周波数１ｋＨｚの交流矩形波で行われるものであり、交流矩形波の＋側の振幅と−側の振幅の大きさは同じであるから、データ信号の出力とブラック信号の出力は、共に、２つの透明電極間の時間平均電圧がほぼ０とする様、２つの透明電極間の電圧の極性が順次反転されているものである。
　
　したがって、引用発明の、２つの透明電極間の時間平均電圧がほぼ０とする様、２つの透明電極間の電圧の極性が順次反転されている、「前記データ信号の出力と前記ブラック信号の出力とは、周波数１ｋＨｚの交流矩形波で行われる」ことと、本願発明の「前記第１および第２のステップは、前記一定の周期内で、前記２つの電極間の平均電圧をほぼ０とする様、前記２つの電極間の電圧の極性を反転させる」こととは共に、「前記第１及び第２のステップは、前記２つの電極間の時間平均電圧をほぼ０とする様、前記２つの電極間の電圧の極性を反転させる」ことである点で共通するといえる。
　
（６）
　ＴＮ液晶のＴＮとは、Ｔｗｉｓｔｅｄ　Ｎｅｍａｔｉｃの略であり、ＴＮ液晶は、ねじれ配向したネマティック液晶を意味するから、引用発明の「前記液晶が、ホモジニアス配向したネマティック液晶である」ことと、本願発明の「前記液晶が、ＴＮ液晶である」こととは、共に、「前記液晶が、ネマティック液晶である」点で共通するといえる。
　
（７）
　したがって、本願発明と引用発明の両者は、
「複数の画素を有する１枚の液晶部材と、照明手段とを設け、
　前記液晶部材内の液晶を挟む２つの電極間に階調データに基づいた第１の電圧を印加する第１のステップと、
　前記２つの電極間に前記階調データに無関係に第２の電圧を印加する第２のステップと、
　をライン上に配列された複数の画素に対して一定の時間比率で順次切り替え、
　前記第１及び第２のステップは、前記２つの電極間の時間平均電圧をほぼ０とする様、前記２つの電極間の電圧の極性を反転させ、
　前記液晶が、ネマティック液晶である
液晶の高速駆動方法。」の点で一致し、以下の点で相違する。
　
相違点１
　複数の画素を有する１枚の液晶部材に関し、本願発明では、「液晶パネル」とあるように、複数の画素がマトリックス状に配列された液晶パネルであるのに対し、引用発明では、複数の液晶光シャッタ素子２がライン上に配列された液晶光シャッタ１である点。
　
相違点２
　照明手段に関し、本願発明では「前記液晶パネルに一定の周期で点滅する」ものであるのに対し、引用発明では単なる照明手段にとどまり、一定の周期で点滅するものではない点。
　これに派生して、本願発明では、第１のステップと第２のステップとが、「前記一定の周期内において一定の時間比率で順次切り替え」られているのに対し、引用発明では、「中間調の光学応答状態とする±１ボルト〜±８ボルトの電圧を書き込み時間１０ｍｓの間印加するデータ信号の出力を行った後、前記２つの透明電極間に±１０ボルトのリセット電圧Ｖｒを２ｍｓの間印加して前記液晶光シャッタ１を一旦暗状態に初期化するブラック信号の出力を行うことを、１行分の印字を行う度に繰り返し、」とあるように、データ信号の出力とブラック信号の出力とが一定の時間比率で順次切り替えられているにとどまる点。
　同じく、これに派生して、平均電圧をほぼ０とする期間の長さが、本願発明では、「前記一定の周期内で」とあるように、一定の周期であるのに対し、引用発明では、そのような期間の長さに関係なく、単に、時間平均電圧が０となっている点。
　
相違点３
　液晶に関し、本願発明では「ＴＮ液晶」、いわゆる「ねじれ配向したネマティック液晶」であるのに対し、引用発明では「ホモジニアス配向したネマティック液晶」であり、ネマティック液晶の配向が異なる点。
　
３．判断
　上記相違点について検討する。
　
（１）相違点１、２について
　相違点１、２は、互いに関連する事項であるから、併せて検討する。
　まず、刊行物１の上記記載（ｄ）には、「【００２８】また、上記の例では、光プリンタの液晶光シャッタに用いた場合について説明したが、これに限るものではなく、液晶表示装置の液晶光シャッタにも適用できる。」と記載されており、刊行物１には、液晶光シャッタの適用対象として、液晶表示装置が示唆されている。
　そして、印字用の液晶光シャッタと表示用の液晶光シャッタとは、各液晶光シャッタを構成する各液晶光シャッタ素子に着目した場合、印字用の液晶光シャッタ素子は、１つの印字位置から次の印字位置への移動を伴うものであり、表示用の液晶光シャッタ素子はかかる空間的移動を伴わない点で相違するものではあっても、両者は、所定の時間周期で、液晶を所望の中間調の光学応答状態に切り替える点で共通するものである。
　したがって、引用発明の適用対象として、表示用の液晶光シャッタ、すなわち、複数の画素がマトリックス状に配列された液晶表示装置とすることができることは、当業者ならば明らかである。　
　次に、相違点２に関連して、原査定の拒絶の理由に引用された特開平３−８３０１５号公報（刊行物２）及び特表平８−５００９１５号公報（刊行物４）には、次の記載ア、イがある。
　
　ア
「第２図は液晶シャッタアレイ（１）の表示タイミングを示すものであり、Ｆｒ、Ｆｇ、Ｆｂは夫々表示しようとする像の赤、緑、青各々の成分の像を表示していることを示し、斜線の部分は表示の切替え時で各々の液晶シャッタ（４）が不定であることを示している。
　まず、制御回路（３）に画像情報を送りつけ制御回路（３）によりＸドライバ（５）及びＹドライバ（６）を駆動させて上記液晶シャッタアレイ（１）に例えば赤（Ｒ）に対応する画像信号を供給する（８ａ）。この時、液晶シャッタ（４）は不定であり、またバックライト光源（２）は消灯している。そして、
この供給された赤（Ｒ）に対応する画像信号に従って液晶シャッタ（４）を安定させ、上記制御回路（３）によってこの状態を記憶保持する（８ｂ）、これとほぼ同時に、上記画像信号と対応する色、即ち赤（Ｒ）のバックライト光源（２）を点灯させる。そして所定時間経過した後、バックライト光源（２）を消灯して、他の色例えば緑（Ｇ）に対応する画像信号を液晶シャッタアレイ（１）に供給する（８ｃ）。
　
　イ
「この第２の実施例において、
順次の表示情報アドレス期間の間の時間間隔において画素をほぼ非透過、すなわち黒に駆動する
  表示パネルを、動作中に絶えず照明してもよい。しかしながら好適には、
照明手段を前記時間間隔の間、オフにする
パネルの断続的な照明は、パネルの駆動に同期して照明に供給される光源をオンおよびオフに点滅させることによって行うことができる。
　
　ウ
　上記ア及びイに記載されているように、「液晶表示装置の駆動制御」の技術分野において、液晶パネルの光源の駆動方法として、液晶が階調に応じた状態になるのに併せて光源を点灯し、液晶が階調に応じた状態でない間は、光源を消灯させることは、本願出願前における周知技術である。
　そして、引用発明において、液晶の応答時間を短くするために、液晶に中間調に応じた電圧を印加する状態と、中間調とは無関係なリセット電圧を印加する状態とを切り替えているところ、液晶表示装置とした場合の照明手段の具体的駆動方法として、上記周知技術を適用して、液晶が階調に応じた状態である、所望の中間調の光学応答状態になるのに併せて照明手段を点灯し、液晶が階調に応じた状態でない、リセット電圧Ｖｒを印加している間などは、照明手段を消灯させるようにすることは、当業者が容易になし得たことである。
　この際、照明手段の点灯、消灯が切り替わる周期は、当然に、中間調に応じた電圧が印加される期間と、中間調とは無関係なリセット電圧が印加される期間とが切り替わる周期に対応したものとなるから、上記適用後の発明において、データ信号の出力期間（第１ステップの期間）とブラック信号の出力期間（第２ステップの期間）とは、照明手段の点灯、消灯が切り替わる周期（一定の周期）内において、一定の時間比率で切り替わるものとなっている。
　また、照明手段の点灯、消灯が切り替わる周期（一定の周期）において、周波数１ｋＨｚの交流矩形波である、中間調の電圧とリセット電圧Ｖｒの時間平均電圧がほぼ０となることも明らかである。
　
　したがって、上記相違点１、２に係る本願発明の発明特定事項は、当業者が引用発明及び上記周知技術に基づいて容易に想到し得たことである。
　
（２）相違点３について
　刊行物１に「【００２７】なお、上記の例における電圧値、電圧印加時間、周波数およびＴＮモード（TwistNematicモード）などの液晶の動作モード等は上記に限らず、液晶光シャッタの特性等に応じて適宜変更可能である。」（上記「１．（１）（ｄ）」参照。）と記載されているように、引用発明における動作モードの一例としてＴＮモード（TwistNematicモード）を用いることが挙げられている。また、表示パネルに用いられる液晶としてＴＮ液晶は周知の材料である（例えば、刊行物４第１３ページ第１６行ないし第２８行「表示パネル１０は、・・・このプレートと平行に、且つ分離して、パネルのすべての画素に共通の電極を構成する透明導電層がその上に形成された他の透明プレートがある。
ツイストネマチック液晶材料
　したがって、引用発明において、ＴＮモードで動作させるための液晶として、「ホモジニアス配向したネマティック液晶」に代えて本願発明のように「ＴＮ液晶」を採用することは、当業者が容易に想到し得たことである。
　
（４）効果について
　そして、本願発明によってもたらされる効果に関し、液晶の高速な応答速度が得られるとの効果は、引用発明も、所定の時間周期のたびに、液晶を所望の中間調の光学応答状態に到達させるに先だって、該所定の時間周期内において、一定時間、中間調とは無関係なリセット電圧Ｖｒを印加することにより、中間調から中間調の状態遷移に比べて液晶の応答時間が短くなる（刊行物１の段落【００２０】〜【００２４】参照。）ものであって、引用発明が有する効果である。また、該当する期間以外の画像の階調データに、表示が影響されることを防ぐことが可能となるとの効果は、液晶が階調に応じた状態でない間は光源を消灯させる上記周知技術から想定される効果である。さらに、正の印加電圧と負の印加電圧の微妙な絶対値の差により発生されるフリッカーを防ぐとの効果も、引用発明自体、所望の中間調の光学応答状態とする電圧を印加する期間内で、極性反転を行っているものであるから、引用発明を表示装置に適用した際に自ずと生じる周知の効果である。したがって、本願発明によってもたらされる効果は、引用発明及び上記周知技術から想定することができない格別のものと認めることもできない。
　
（５）まとめ
　以上のとおりであるから、本願発明は、引用発明及び上記周知技術に基づいて当業者が容易に想到し得たものである。
　
第６　むすび
　以上のとおり、本願発明は、引用発明及び上記周知技術に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。